【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】  ネットワーク・メッセージ格納および配信システムであって、
着信呼を受信し、該着信呼に関連したアドレス信号を検出する手段であって、前記アドレス信号が、前記メッセージ格納および配信システムのユーザに関連する、手段と、
前記アドレス信号が伴うメッセージを受信する手段であって、前記メッセージが第１ファイル・フォーマットにある、手段と、
前記メッセージを前記第１ファイル・フォーマットから第２ファイル・フォーマットに変換する手段と、
前記メッセージを前記第２ファイル・フォーマットで記憶領域に格納する手段と、
前記ユーザから前記メッセージに対する要求を受信し、前記メッセージを前記記憶領域から検索する手段と、
前記メッセージの少なくとも一部分を前記第２ファイル・フォーマットで、伝送リンクを通じて前記ユーザに送信する手段と、
を備え、
前記メッセージの前記一部分がネットワークを通じて前記ユーザに送信され、前記第２ファイル・フォーマットが、混合メディア・ページ・レイアウト言語であり、かつ標準的な一般化マークアップ言語を含む、ネットワーク・メッセージ格納および配信システム。
【請求項２】  ネットワーク・メッセージ格納および配信システムであって、
着信呼を受信し、該着信呼に関連したアドレス信号を検出する手段であって、前記アドレス信号が、前記メッセージ格納および配信システムのユーザに関連する、手段と、
前記アドレス信号が伴うメッセージを受信する手段であって、前記メッセージが第１ファイル・フォーマットにある、手段と、
前記メッセージを前記第１ファイル・フォーマットから第２ファイル・フォーマットに変換する手段と、
前記メッセージを前記第２ファイル・フォーマットで記憶領域に格納する手段と、
前記ユーザから前記メッセージに対する要求を受信し、前記メッセージを前記記憶領域から検索する手段と、
前記メッセージの少なくとも一部分を前記第２ファイル・フォーマットで、伝送リンクを通じて前記ユーザに送信する手段と、
を備え、
前記メッセージの前記一部分がネットワークを通じて前記ユーザに送信され、前記第２ファイル・フォーマットが混合メディア・ページ・レイアウト言語であり、前記ネットワークがインターネットを含む、ネットワーク・メッセージ格納および配信システム。
【請求項３】  ネットワーク・メッセージ格納および配信システムであって、
着信呼を受信し、該着信呼上でアドレス信号を検出し、前記着信呼上でメッセージを検出し、該メッセージを記憶領域内に置く中央プロセッサであって、前記アドレス信号が、前記ネットワーク・メッセージ格納および配信システムのユーザに関連する、中央プロセッサと、
前記記憶領域から前記メッセージを受信し、前記メッセージを混合メディア・ページ・レイアウト言語に変換し、前記メッセージを前記記憶領域に置くネットワーク・サーバと、
を備え、
前記ネットワーク・サーバが前記ネットワークを通じて前記ユーザから要求を受信した場合、前記ネットワーク・サーバが前記メッセージの少なくとも一部分を前記ネットワークを通じて伝送リンクを介して前記ユーザに送信し、前記ネットワークがインターネットを含み、前記ネットワーク・サーバがインターネット・サーバを含む、ネットワーク・メッセージ格納および配信システム。
【請求項４】  ユーザのためのメッセージを格納し配信する方法であって、
着信呼を受信し、前記着信呼に関連したアドレス信号を検出するステップであって、前記アドレス信号がユーザに関連する、ステップと、
前記アドレス信号に関連するメッセージを受信するステップであって、該メッセージが第１ファイル・フォーマットにある、ステップと、
前記メッセージを前記第１ファイル・フォーマットから第２ファイル・フォーマットに変換するステップと、
前記メッセージを前記第２ファイル・フォーマットで記憶領域に格納するステップと、
前記ユーザから前記メッセージに対する要求を受信し、前記メッセージを前記記憶領域から検索するステップと、
前記メッセージの少なくとも一部分を前記第２ファイル・フォーマットで、伝送リンクを通じて前記ユーザに送信するステップと、
を含み、
前記送信するステップがネットワークを通じて生じ、前記メッセージを変換するステップが、前記メッセージを混合メディア・ページ・レイアウト言語に変換し、前記送信するステップがインターネットを通じて生じる、方法。
【請求項５】  対象受信側に宛てたメッセージ信号を受信しかつ格納し、前記メッセージ信号をコンピュータに中継するシステムであって、
公衆電話交換網から着信呼を受信する電話インターフェースであって、前記着信呼が前記メッセージ信号を含む、電話インターフェースと、
前記電話インターフェースから前記メッセージ信号を受信し、前記メッセージ信号を記憶媒体に格納する中央プロセッサと、
前記コンピュータからの前記メッセージ信号に対する要求を受信し、該要求をネットワーク・サーバに転送するハイパーテキスト転送プロトコル・デーモンであって、前記コンピュータからの要求がハイパーテキスト転送プロトコルでフォーマットされる、ハイパーテキスト転送プロトコル・デーモンと、
前記ハイパーテキスト転送プロトコル・デーモンからの前記要求を受信したことに応答して、前記メッセージ信号の少なくとも一部分を前記ハイパーテキスト転送プロトコル・デーモンに転送する前記ネットワーク・サーバと、
を備え、
前記ハイパーテキスト転送プロトコル・デーモンが前記メッセージ信号の少なくとも一部分を前記コンピュータに送信する、システム。
【請求項６】  請求項５記載のシステムにおいて、前記ネットワーク・サーバが、前記メッセージ信号を第１ファイル・フォーマットから、標準的な一般化マークアップ言語に変換する、システム。
【請求項７】  請求項５記載のシステムにおいて、前記中央プロセッサが、前記メッセージ信号を第１ファイル・フォーマットから、標準的な一般化マークアップ言語に変換する、システム。
【請求項８】  請求項５記載のシステムにおいて、前記ハイパーテキスト転送プロトコル・デーモンが、前記メッセージをハイパーテキスト・マークアップ言語で送信する、システム。
【請求項９】  請求項５記載のシステムにおいて、前記ハイパーテキスト転送プロトコル・デーモンが、前記メッセージをハンドヘルド・デバイス・マークアップ言語で送信する、システム。
【請求項１０】  請求項５記載のシステムにおいて、前記ハイパーテキスト転送プロトコル・デーモンが、前記メッセージを拡張可能マークアップ言語で送信する、システム。
【請求項１１】  請求項５記載のシステムにおいて、前記ハイパーテキスト転送プロトコル・デーモンが、前記メッセージを仮想現実マークアップ言語で送信する、システム。
【請求項１２】  請求項５記載のシステムにおいて、前記ハイパーテキスト転送プロトコル・デーモンが、前記コンピュータからの前記要求をインターネットを通じて受信する、システム。
【請求項１３】  請求項５記載のシステムにおいて、前記ハイパーテキスト転送プロトコル・デーモンが、前記コンピュータからの前記要求をイントラネットを通じて受信する、システム。
【請求項１４】  請求項５記載のシステムにおいて、前記電話インターフェースが、前記着信呼の一部としてアドレス信号を受信し、前記中央プロセッサが前記メッセージ信号を、当該アドレス信号に関連するディレクトリに格納する、システム。
【請求項１５】  請求項５記載のシステムにおいて、前記メッセージ信号がファクシミリ送信を含む、システム。
【請求項１６】  請求項５記載のシステムにおいて、前記メッセージ信号がボイス・メッセージを含む、システム。
【請求項１７】  請求項５記載のシステムにおいて、前記メッセージ信号がデータ・ファイルを含む、システム。
【請求項１８】  請求項５記載のシステムにおいて、前記コンピュータから前記ハイパーテキスト転送プロトコル・デーモンに送る前記要求が、所望のサーチについて少なくとも１つのサーチ・パラメータを指定するサーチ・クエリを含み、前記ハイパーテキスト転送プロトコル・デーモンが前記サーチ・クエリを前記ネットワーク・サーバに転送し、該ネットワーク・サーバが、前記少なくとも１つのサーチ・パラメータを満足する全てのメッセージ信号を識別することによって、前記所望のサーチを実行し、前記ハイパーテキスト転送プロトコル・デーモンが前記所望のサーチの結果を前記コンピュータに送る、システム。
【請求項１９】  請求項１８記載のシステムにおいて、前記中央プロセッサが、各メッセージ信号毎にデータ・エントリを格納する、システム。
【請求項２０】  請求項１９記載のシステムにおいて、前記データ・エントリが、前記メッセージ信号を識別するための複数のフィールドを含む、システム。
【請求項２１】  請求項１９記載のシステムにおいて、前記中央プロセッサが、前記データ・エントリをリレーショナル・データベースに格納する、システム。
【請求項２２】  請求項１８記載のシステムにおいて、前記中央プロセッサが、前記所望のサーチ内に含まれている全てのメッセージ信号のリストを、前記ハイパーテキスト転送プロトコル・デーモンに返送し、該ハイパーテキスト転送プロトコル・デーモンが前記リストをコンピュータに送る、システム。
【請求項２３】  対象受信側に宛てたメッセージ信号を受信しかつ格納し、前記メッセージ信号をコンピュータに中継する方法であって、
公衆電話交換網から着信呼を受信するステップであって、該着信呼が前記メッセージ信号を含む、ステップと、
前記メッセージ信号を記憶媒体に格納するステップと、
ハイパーテキスト転送プロトコル・デーモンにおいて、前記コンピュータからの前記メッセージ信号に対する要求を受信し、該要求をネットワーク・サーバに転送するステップと、
前記メッセージ信号の少なくとも一部分を前記ネットワーク・サーバから前記ハイパーテキスト転送プロトコル・デーモンに転送するステップと、
前記メッセージ信号の少なくとも一部分を前記ハイパーテキスト転送プロトコル・デーモンから前記コンピュータに送信するステップと、
を含む方法。
【請求項２４】  請求項２３記載の方法であって、更に、前記要求を第１ファイル・フォーマットから標準的な一般化マークアップ言語に変換するステップを含む、方法。
【請求項２５】  請求項２３記載の方法において、前記要求を受信する前記ステップが、前記要求を標準的な一般化マークアップ言語で受信するステップを含む、方法。
【請求項２６】  請求項２３記載の方法において、前記要求を受信する前記ステップが、前記要求をハイパーテキスト・マークアップ言語で受信するステップを含む、方法。
【請求項２７】  請求項２３記載の方法において、前記要求を受信する前記ステップが、前記要求をハンドヘルド・マークアップ言語で受信するステップを含む、方法。
【請求項２８】  請求項２３記載の方法において、前記要求を受信する前記ステップが、前記要求を拡張可能マークアップ言語で受信するステップを含む、方法。
【請求項２９】  請求項２３記載の方法において、前記要求を受信する前記ステップが、前記要求を仮想現実マークアップ言語で受信するステップを含む、方法。
【請求項３０】  請求項２３記載の方法において、前記呼を受信する前記ステップが、ファクシミリ送信を受信するステップを含む、方法。
【請求項３１】  請求項２３記載の方法において、前記呼を受信する前記ステップが、ボイス・メッセージを受信するステップを含む、方法。
【請求項３２】  請求項２３記載の方法において、前記呼を受信する前記ステップが、データ・ファイルを受信するステップを含む、方法。
【請求項３３】  請求項２３記載の方法において、前記要求を受信する前記ステップが、前記要求をインターネットを通じて受信するステップを含む、方法。
【請求項３４】  請求項２３記載の方法において、前記要求を受信する前記ステップが、前記要求をイントラネットを通じて受信するステップを含む、方法。
【請求項３５】  請求項２３記載の方法において、前記要求を受信する前記ステップが、前記コンピュータからサーチ・クエリを受信するステップを含み、前記サーチ・クエリが、所望のサーチについて少なくとも１つのサーチ・パラメータを指定し、前記方法が、更に、前記ストレージ全体にわたって前記所望のサーチを実行するステップと、前記所望のサーチの結果を前記コンピュータに返送するステップとを含む、方法。
【請求項３６】  請求項３５記載の方法であって、更に、前記ストレージに、受信した各メッセージ信号毎にデータ・エントリを格納するステップを含む、方法。
【請求項３７】  請求項３５記載の方法において、前記結果を返送する前記ステップが、前記所望のサーチ内に含まれる全てのメッセージ信号のリストを返送するステップを含む、方法。
【請求項３８】  請求項３５記載の方法であって、更に、前記所望のサーチの結果を前記ストレージにセーブするステップを含む、方法。
【請求項３９】  メッセージ信号を格納し配信することにおいて用いるソフトウエアを格納するコンピュータ読み取り可能媒体であって、前記ソフトウエアが、
公衆電話交換網から着信呼を受信するステップであって、該着信呼が前記メッセージ信号を含む、ステップと、
前記メッセージ信号を記憶媒体に格納するステップと、
ハイパーテキスト転送プロトコル・デーモンにおいて、前記コンピュータからの前記メッセージ信号に対する要求を受信し、該要求をネットワーク・サーバに転送するステップと、
前記メッセージ信号の少なくとも一部分を前記ネットワーク・サーバから前記ハイパーテキスト転送プロトコル・デーモンに転送するステップと、
前記メッセージ信号の少なくとも一部分を、前記ハイパーテキスト転送プロトコル・デーモンから前記コンピュータに送信するステップと、
を実行するのに用いる、コンピュータ読み取り可能媒体。